Podtech/llm-jp-corpus-v4-ja_patent huggingface dataset:
【手続補正書】
【提出日】平成27年3月24日(2015.3.24)
【手続補正１】
【補正対象書類名】特許請求の範囲
【補正対象項目名】全文
【補正方法】変更
【補正の内容】
【特許請求の範囲】
【請求項１】
食品生産物に使用される略非吸湿性のカーナライト三重塩であって、
該塩が次の式を有し、
MgKx(NH4)yClg・zH2O  式（ＩＩＩ）
式中、ｘ及びｙの合計が１であり、０＜ｘ＜１であり、０＜ｙ＜１であり、ｇが３であり、ｚが４−６であり、そして、
食品生産物で使用される前記三重塩が３％未満の塩化水素を含み、３％未満の塩化水素は結晶格子内に吸蔵され、塩化アンモニウムの化学量論的には塩生成物の結晶格子の外に３％未満の塩化アンモニウムが存在することを特徴とする略非吸湿性のカーナライト三重塩。
【請求項２】
ｘが０．０５から０．４５であり、ｙが０．５５から０．９５であることを特徴とする請求項１記載の略非吸湿性のカーナライト三重塩。
【請求項３】
ｘが０．２５であり、ｙが０．７５であることを特徴とする請求項１記載の略非吸湿性のカーナライト三重塩。
【請求項４】
ｚが６であることを特徴とする請求項１又は２に記載の食品生産物に使用されるカーナライト三重塩。
【請求項５】
以下の工程（ａ）及び（ｂ）によって調製されることを特徴とする請求項１又は２に記載の食品生産物に使用される略非吸湿性のカーナライト三重塩。
ａ）水性溶媒中に、（ｉ）塩化マグネシウム、（ｉｉ）塩化アンモニウム、塩化カリウム、またはその組み合わせ、及び（ｉｉｉ）５．５から７のｐＨを維持するのに適した量の酸スカベンジャーを溶解させる工程
ｂ）前記三重塩の食品生産物を利用可能とするために蒸発により前記水性溶媒を除去する工程
【請求項６】
前記水性溶媒が部分的に蒸発され、これにより前記カーナライト三重塩を沈殿させることを特徴とする請求項４記載の食品生産物に使用されるカーナライト三重塩。
【請求項７】
前記工程（ａ）が、前記水性溶媒中に、１−１０ｍｏｌ％の塩化アンモニウムを含む酸スカベンジャーを溶解させる工程を備えることを特徴とする請求項４又は５記載の食品生産物に使用されるカーナライト三重塩。
【請求項８】
前記酸スカベンジャーがアンモニアではないことを特徴とする請求項４乃至６いずれかに記載の食品生産物に使用されるカーナライト三重塩。
【請求項９】
コア及び少なくとも１つの層を備える粒子であって、
前記コアは請求項１乃至７いずれかに記載の三重塩を含み、
前記粒子の少なくとも１つの前記層が塩化ナトリウム、塩化カリウム、又はそれらの組合せを含むことを特徴とする粒子。
【請求項１０】
（ｉ）請求項１乃至７いずれかに記載される食品生産物に使用される塩、及び（ｉｉ）塩化ナトリウム、塩化カリウム、又はそれらの組合せを含むことを特徴とする組成物。
【請求項１１】
栄養剤、半仕加工食品生産物、香味生産物、加工食品生産物の調製の間、栄養剤、半仕加工食品生産物、香味生産物、加工食品生産物は、請求項１乃至９いずれかに記載の塩、あるいは請求項１０に記載の組成物で加工され、又は保存されることを特徴とする栄養剤、半仕加工食品生産物、香味生産物、加工食品生産物。
【請求項１２】
前記加工食品生産物は、肉、魚、野菜、スナック食品、スープ、ソース、酪農製品、及び酵母系製品から選択されることを特徴とする請求項１１に記載の栄養剤、半加工食品生産物、香味生産物、加工食品生産物。
【請求項１３】
請求項１乃至８いずれかに記載の食品生産物に使用される塩を含むナトリウム、請求項１０に記載の組成物、あるいは請求項１１の溶液を少なくとも部分的に代用することにより食品生産物中のナトリウム量を減少させる方法であって、前記食品生産物は略風味又は保存期限の減少を有さないことを特徴とする方法。
【請求項１４】
食品生産物に使用される略非吸湿性のカーナライト三重塩を調製する方法であって、該塩が次の式を有し、
MgKx(NH4)yClg・zH2O  式（ＩＩＩ）
前記方法は、
ａ）水性溶媒中に、（ｉ）塩化マグネシウム、（ｉｉ）塩化アンモニウム、塩化カリウム、またはその組み合わせ、及び（ｉｉｉ）５．５から７のｐＨを維持するのに適した量の酸スカベンジャーを溶解させる工程、及び
ｂ）前記塩の食品生産物を利用可能とするために蒸発により前記水性溶媒を除去する工程
を備え、
式中、ｘ及びｙの合計が１、ｘが０．０５から０．４５、ｙが０．５５から０．９５、ｇが３、ｚが４から６であり、食品生産物に使用される前記三重塩が３％未満の塩化水素を含み、３％未満の塩化水素は結晶格子内に吸蔵され、塩化アンモニウムの化学量論的には塩生成物の結晶格子の外に３％未満の塩化アンモニウムが存在することを特徴とする方法。
【請求項１５】
食品生産物に使用される略非吸湿性のカーナライト三重塩であって、
該塩は次の式を有し、
MgKx(NH4)yClg・zH2O  式（ＩＩＩ）
式中、ｘ及びｙの合計が１であり、０＜ｘ＜１であり、０＜ｙ＜１であり、ｇが３であり、ｚが４−６であり、
食品生産物に使用される塩における５％未満のＫイオンが、生理学的に許容可能なカチオンと任意に置換され、
食品生産物に使用される塩における５％未満のＮＨ４イオンが、生理学的に許容可能なカチオンと任意に置換され、
食品生産物に使用される塩における５％未満のＣｌイオンが、生理学的に許容可能なアニオンと任意に置換され、そして、
食品生産物に使用される前記三重塩が３％未満の塩化水素を含み、３％未満の塩化水素は結晶格子内に吸蔵され、塩化アンモニウムの化学量論的には塩生成物の結晶格子の外に３％未満の塩化アンモニウムが存在することを特徴とする塩。
【手続補正書】
【提出日】平成27年7月24日(2015.7.24)
【手続補正１】
【補正対象書類名】特許請求の範囲
【補正対象項目名】全文
【補正方法】変更
【補正の内容】
【特許請求の範囲】
【請求項１】
第１識別情報の可変表示と第２識別情報の可変表示とを行い、遊技者にとって有利な有利状態に制御可能な遊技機であって、
遊技媒体が所定領域を通過したことにもとづいて、可変入賞装置を遊技媒体が入賞しやすい状態に制御する可変入賞装置制御手段と、
第１識別情報または第２識別情報の可変表示が行われているときに、前記有利状態に制御されることを示唆する特定演出を実行する特定演出実行手段と、
前記特定演出が実行されること、または前記可変入賞装置が遊技媒体が入賞しやすい状態に制御されることを報知するための所定演出を実行する所定演出実行手段と、
少なくとも第１識別情報または第２識別情報の可変表示が終了してから所定期間が経過した後に前記所定演出の実行を制限する所定演出制限手段とを備えた
ことを特徴とする遊技機。
【手続補正２】
【補正対象書類名】明細書
【補正対象項目名】０００１
【補正方法】変更
【補正の内容】
【０００１】
本発明は、第１識別情報の可変表示と第２識別情報の可変表示とを行い、遊技者にとって有利な有利状態に制御可能なパチンコ遊技機等の遊技機に関する。
【手続補正３】
【補正対象書類名】明細書
【補正対象項目名】０００７
【補正方法】変更
【補正の内容】
【０００７】
しかし、特許文献１に記載された遊技機では、普通識別情報の表示結果が導出表示される前に普通識別情報の表示結果を予告する演出が実行されるが、一般に、遊技者は、普通識別情報よりも識別情報の可変表示に対して興味を抱く。よって、識別情報の可変表示が実行されていないときには、普通識別情報の表示結果を予告する演出が実行されても、実質的に演出効果はない。
【手続補正４】
【補正対象書類名】明細書
【補正対象項目名】０００８
【補正方法】変更
【補正の内容】
【０００８】
そこで、本発明は、可変入賞装置が遊技球が入賞しやすい状態に制御されることを報知するための所定演出を実行する遊技機において、効果的に演出を行うことを目的とする。
【手続補正５】
【補正対象書類名】明細書
【補正対象項目名】０００９
【補正方法】変更
【補正の内容】
【０００９】
（１）本発明による遊技機は、第１識別情報の可変表示と第２識別情報の可変表示とを行い、遊技者にとって有利な有利状態（例えば、大当り遊技状態）に制御可能な遊技機であって、遊技媒体が所定領域（例えば、ゲート３２）を通過したことにもとづいて、可変入賞装置を遊技媒体が入賞しやすい状態に制御する可変入賞装置制御手段（例えば、遊技制御用マイクロコンピュータ５６０におけるステップＳ４５３〜Ｓ４５５の処理を実行する部分）と、第１識別情報または第２識別情報の可変表示が行われているときに、有利状態に制御されることを示唆する特定演出を実行する特定演出実行手段と、特定演出が実行されること、または可変入賞装置が遊技媒体が入賞しやすい状態に制御されることを報知するための所定演出を実行する所定演出実行手段（例えば、演出制御用マイクロコンピュータ１００におけるステップＳ７７９の処理を実行する部分）と、少なくとも第１識別情報または第２識別情報の可変表示が終了してから所定期間が経過した後に所定演出の実行を制限する所定演出制限手段（例えば、演出制御用マイクロコンピュータ１００におけるステップＳ７５７の処理を実行する部分）とを備えたことを特徴とする。
そのような構成によれば、効果的に演出を行うことができる。
【手続補正６】
【補正対象書類名】明細書
【補正対象項目名】００１０
【補正方法】変更
【補正の内容】
【００１０】
（２）上記の（１）の遊技機において、所定演出制限手段は、識別情報の可変表示が行われていない期間が所定の期間を越えた場合に所定演出の実行を禁止する（図４５におけるステップＳ７５７参照）ように構成されていてもよい。
そのような構成によれば、効果的に演出を行うことができる。
【手続補正７】
【補正対象書類名】明細書
【補正対象項目名】００１２
【補正方法】変更
【補正の内容】
【００１２】
（４）上記の（１）〜（３）の遊技機において、遊技媒体を遊技領域に発射して遊技を行なうことが可能な遊技機であって、遊技媒体を発射する操作を行うための発射操作部（例えば、操作ノブ５）に対する操作が行われているか否かを検出する発射操作検出手段を備え、所定演出制限手段は、発射操作検出手段が操作が行われていないことを検出しているときに所定演出の実行を禁止する（変形例＃３参照）ように構成されていてもよい。
そのような構成によれば、効果的に演出を行うことができる。
【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
遊技操作により打ち出された遊技球が所定の遊技領域を流下して始動入賞口に入賞したことに基づいて、通常遊技より遊技者にとって有利な有利遊技に移行させるか否かを決定するための当否抽選を実行する抽選制御手段と、
前記抽選制御手段による前記当否抽選の結果に対応して複数種類の変動パターンから変動パターンを選択したことに基づいて、特別図柄を変動表示及び停止表示させる変動パターン表示制御を行う特別図柄変動表示制御手段と、
前記特別図柄の変動表示中、または前記有利遊技の移行中において、遊技球が前記始動入賞口へ入賞した際に取得される前記当否抽選の結果に係る情報を含む入賞情報に係る保留記憶に基づいて、前記当否抽選の結果に応じて決定される前記変動パターンの種類のうち、いずれか一つまたは複数を先判定する保留記憶判定手段と、
所定の価値情報が記憶された記憶媒体が投入されることに基づいて遊技球を貸球として払出し可能な遊技球貸出機における前記記憶媒体の返却操作を促す情報を、前記有利遊技への移行の決定以降の所定のタイミングで表示可能とし、かつ前記保留記憶判定手段による前記変動パターンの種類に係る先判定の結果に基づいて、前記記憶媒体の返却操作を促す情報の表示の有無を制御可能とする演出図柄変動表示制御手段とを備えることを特徴とする遊技機。
【請求項２】
前記演出図柄変動表示制御手段は、前記変動パターンの種類に係る先判定の結果に基づいて、前記返却操作を促す情報の表示タイミングを制御可能とすることを特徴とする請求項１記載の遊技機。
【手続補正２】
【補正対象書類名】明細書
【補正対象項目名】０００７
【補正方法】変更
【補正の内容】
【０００７】
（１）遊技操作により打ち出された遊技球が所定の遊技領域を流下して始動入賞口に入賞したことに基づいて、通常遊技より遊技者にとって有利な有利遊技に移行させるか否かを決定するための当否抽選を実行する抽選制御手段と、前記抽選制御手段による前記当否抽選の結果に対応して複数種類の変動パターンから変動パターンを選択したことに基づいて、特別図柄を変動表示及び停止表示させる変動パターン表示制御を行う特別図柄変動表示制御手段と、前記特別図柄の変動表示中、または前記有利遊技の移行中において、遊技球が前記始動入賞口へ入賞した際に取得される前記当否抽選の結果に係る情報を含む入賞情報に係る保留記憶に基づいて、前記当否抽選の結果に応じて決定される前記変動パターンの種類のうち、いずれか一つまたは複数を先判定する保留記憶判定手段と、所定の価値情報が記憶された記憶媒体が投入されることに基づいて遊技球を貸球として払出し可能な遊技球貸出機における前記記憶媒体の返却操作を促す情報を、前記有利遊技への移行の決定以降の所定のタイミングで表示可能とし、かつ前記保留記憶判定手段による前記変動パターンの種類に係る先判定の結果に基づいて、前記記憶媒体の返却操作を促す情報の表示の有無を制御可能とする演出図柄変動表示制御手段とを備える。
【手続補正３】
【補正対象書類名】明細書
【補正対象項目名】０００８
【補正方法】変更
【補正の内容】
【０００８】
（２）上記（１）項において、前記演出図柄変動表示制御手段は、前記変動パターンの種類に係る先判定の結果に基づいて、前記返却操作を促す情報の表示タイミングを制御可能とする。
【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
遊技操作により打ち出された遊技球が所定の遊技領域を流下して始動入賞口に入賞したことに基づいて、通常遊技より遊技者にとって有利な有利遊技への移行契機であって、前記有利遊技において、所定量の賞球が期待できる出玉有利当りまたは前記出玉有利当りよりも少ない賞球が期待できる出玉不利当りを含む当りのうち、いずれかの当りか否かを決定するための当否抽選を実行する抽選制御手段と、
前記抽選制御手段による前記当否抽選の結果に基づいて、特別図柄を変動表示及び停止表示させる変動パターン表示制御を行う特別図柄変動表示制御手段と、
前記特別図柄の変動表示中、または前記有利遊技の移行中において、遊技球が前記始動入賞口へ入賞した際に取得される前記当否抽選の結果に係る情報を含む入賞情報に係る保留記憶に基づいて、前記当否抽選の結果、前記当りとなった場合、前記出玉有利当りまたは前記出玉不利当りを含む当りの種類を先判定する保留記憶判定手段と、
所定の価値情報が記憶された記憶媒体が投入されることに基づいて遊技球を貸球として払出し可能な遊技球貸出機における前記記憶媒体の返却操作を促す情報を、前記有利遊技への移行の決定以降の所定のタイミングで表示可能とし、かつ前記保留記憶判定手段による前記当りの種類に係る先判定の結果に基づいて、前記記憶媒体の返却操作を促す情報の表示の有無を制御可能とする演出図柄変動表示制御手段とを備えることを特徴とする遊技機。
【請求項２】
前記演出図柄変動表示制御手段は、前記当りの種類に係る先判定の結果に基づいて、前記返却操作を促す情報の表示を行わない制御を可能とすることを特徴とする請求項１記載の遊技機。
【請求項３】
前記演出図柄変動表示制御手段は、前記当りの種類に係る先判定の結果に基づいて、前記返却操作を促す情報を前記有利遊技が実行される毎に連続して表示させない制御を可能とすることを特徴とする請求項１または２記載の遊技機。
【手続補正２】
【補正対象書類名】明細書
【補正対象項目名】０００７
【補正方法】変更
【補正の内容】
【０００７】
（１）遊技操作により打ち出された遊技球が所定の遊技領域を流下して始動入賞口に入賞したことに基づいて、通常遊技より遊技者にとって有利な有利遊技への移行契機であって、前記有利遊技において、所定量の賞球が期待できる出玉有利当りまたは前記出玉有利当りよりも少ない賞球が期待できる出玉不利当りを含む当りのうち、いずれかの当りか否かを決定するための当否抽選を実行する抽選制御手段と、前記抽選制御手段による前記当否抽選の結果に基づいて、特別図柄を変動表示及び停止表示させる変動パターン表示制御を行う特別図柄変動表示制御手段と、前記特別図柄の変動表示中、または前記有利遊技の移行中において、遊技球が前記始動入賞口へ入賞した際に取得される前記当否抽選の結果に係る情報を含む入賞情報に係る保留記憶に基づいて、前記当否抽選の結果、前記当りとなった場合、前記出玉有利当りまたは前記出玉不利当りを含む当りの種類を先判定する保留記憶判定手段と、所定の価値情報が記憶された記憶媒体が投入されることに基づいて遊技球を貸球として払出し可能な遊技球貸出機における前記記憶媒体の返却操作を促す情報を、前記有利遊技への移行の決定以降の所定のタイミングで表示可能とし、かつ前記保留記憶判定手段による前記当りの種類に係る先判定の結果に基づいて、前記記憶媒体の返却操作を促す情報の表示の有無を制御可能とする演出図柄変動表示制御手段とを備える。
【手続補正３】
【補正対象書類名】明細書
【補正対象項目名】０００９
【補正方法】変更
【補正の内容】
【０００９】
（２）上記（１）項において、前記演出図柄変動表示制御手段は、前記当りの種類に係る先判定の結果に基づいて、前記返却操作を促す情報の表示を行わない制御を可能とする。
【手続補正４】
【補正対象書類名】明細書
【補正対象項目名】００１０
【補正方法】変更
【補正の内容】
【００１０】
（３）上記（１）または（２）項において、前記演出図柄変動表示制御手段は、前記当りの種類に係る先判定の結果に基づいて、前記返却操作を促す情報を前記有利遊技が実行される毎に連続して表示させない制御を可能とする。
【手続補正書】
【提出日】平成27年7月24日(2015.7.24)
【手続補正１】
【補正対象書類名】特許請求の範囲
【補正対象項目名】全文
【補正方法】変更
【補正の内容】
【特許請求の範囲】
【請求項１】
遊技盤面と該遊技盤面に対し隙間を隔てて配置される透明板との間に遊技領域が形成され、該遊技領域に遊技球を発射することにより遊技が行われる遊技機であって、
前記遊技領域を流下する遊技球が衝突する衝突部と、
前記衝突部に衝突した遊技球を前記遊技盤面に沿う方向に誘導する転動部と、
を備え、
前記衝突部は、衝突した遊技球を前記遊技盤面側に向けて跳ね返すように、前記透明板側から前記遊技盤面側に向けて下方に傾斜する傾斜面にて構成され、
前記転動部は、前記遊技盤面に対し略直交する転動面であり、前記傾斜面と前記遊技盤面との間に設けられている
ことを特徴とする遊技機。
【手続補正２】
【補正対象書類名】明細書
【補正対象項目名】０００７
【補正方法】変更
【補正の内容】
【０００７】
前記課題を解決するために、本発明の請求項１に記載の遊技機は、
遊技盤面（遊技盤面６ａ）と該遊技盤面に対し隙間（Ｌ１１）を隔てて配置される透明板（透視窓１０２ａ）との間に遊技領域（遊技領域７）が形成され、該遊技領域に遊技球を発射することにより遊技が行われる遊技機（パチンコ遊技機１）であって、
前記遊技領域を流下する遊技球が衝突する衝突部（衝突部５０５／転動傾斜面５５１ａ）と、
前記衝突部に衝突した遊技球を前記遊技盤面に沿う方向に誘導する転動部｛転動面５０１（下転動面５０１ｃ）／転動面５５１（下転動面５５１ｃ）｝と、
を備え、
前記衝突部は、衝突した遊技球を前記遊技盤面側に向けて跳ね返すように、前記透明板側から前記遊技盤面側に向けて下方に傾斜する傾斜面にて構成され、
前記転動部は、前記遊技盤面に対し略直交する転動面であり、前記傾斜面と前記遊技盤面との間に設けられている
ことを特徴としている。
この特徴によれば、遊技領域を流下する際に衝突部に衝突した遊技球は、転動部により遊技盤面に沿う方向に誘導されるが、衝突部に衝突した際に遊技球は遊技盤面側に跳ね返されるので、該跳ね返った遊技球が透明板に接触し損傷することにより耐久性が低減したり遊技領域の視認性が低下することが防止される。
【手続補正書】
【提出日】平成27年2月20日(2015.2.20)
【手続補正１】
【補正対象書類名】明細書
【補正対象項目名】０００１
【補正方法】変更
【補正の内容】
【０００１】
本発明は、遊技の結果態様に応じて、遊技者にとって有利な特別遊技状態を発生可能な遊技機に関する。
【手続補正２】
【補正対象書類名】明細書
【補正対象項目名】０００６
【補正方法】変更
【補正の内容】
【０００６】
以上の課題を解決するため、請求項１に記載の発明は、
遊技に関連する演出を行う演出表示手段を備え、前記遊技の結果態様に応じて、遊技者にとって有利な特別遊技状態を発生可能な遊技機において、
遊技者が操作可能な演出用の操作手段と、
操作有効期間中に前記演出用の操作手段が操作された場合は、当該演出用の操作手段が操作されている間、所定の実行速度で所定の演出を連続的に実行する一連の演出を行う演出制御手段と、を備え、
前記演出制御手段は、
前記操作有効期間が開始すると、該操作有効期間が発生したことを遊技者に報知する報知演出を実行し、
前記操作有効期間の開始前から前記演出用の操作手段が操作され続けている場合には、前記操作有効期間中であっても前記所定の演出を連続的に実行する一連の演出を行わず、前記報知演出を継続することを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
遊技に関連する演出を行う演出表示手段を備え、前記遊技の結果態様に応じて、遊技者にとって有利な特別遊技状態を発生可能な遊技機において、
遊技者が操作可能な演出用の操作手段と、
操作有効期間中に前記演出用の操作手段が操作された場合は、当該演出用の操作手段が操作されている間、所定の実行速度で所定の演出を連続的に実行する一連の演出を行う演出制御手段と、を備え、
前記演出制御手段は、
前記操作有効期間が開始すると、該操作有効期間が発生したことを遊技者に報知する報知演出を実行し、
前記操作有効期間の開始前から前記演出用の操作手段が操作され続けている場合には、前記操作有効期間中であっても前記所定の演出を連続的に実行する一連の演出を行わず、前記報知演出を継続することを特徴とする遊技機。
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
変動表示を行ない表示結果を導出表示し、遊技者にとって有利な有利状態に制御可能な遊技機であって、
前記有利状態に制御するか否かを決定する決定手段と、
前記変動表示が開始されてから表示結果が導出表示されるまでに、所定の演出表示を所定回数繰り返し実行する演出表示実行手段と、
前記決定手段による決定に基づいて、前記演出表示実行手段によって実行される演出表示において特定演出を実行するか否かを決定するとともに、該特定演出を実行する場合、いずれの回数目の演出表示において該特定演出を実行するかを決定する特定演出決定手段と、
を備え、
前記演出表示実行手段は、前記特定演出決定手段によって決定された回数目の演出表示において前記特定演出を実行し、
前記特定演出決定手段は、前記決定手段により前記有利状態とすることが決定されたか否かに応じて、いずれの回数目の演出表示において該特定演出を実行するかを異なる割合で決定する、
ことを特徴とする遊技機。
【手続補正２】
【補正対象書類名】明細書
【補正対象項目名】０００１
【補正方法】変更
【補正の内容】
【０００１】
本発明は、パチンコ遊技機等の遊技機に関する。
【手続補正３】
【補正対象書類名】明細書
【補正対象項目名】０００７
【補正方法】変更
【補正の内容】
【０００７】
（１）上記目的を達成するため、本願の第１の観点に係る遊技機は、
変動表示を行ない表示結果を導出表示し、遊技者にとって有利な有利状態（大当り遊技状態）に制御可能な遊技機（パチンコ遊技機１）であって、
前記有利状態に制御するか否かを決定する決定手段（遊技制御用マイクロコンピュータ５６０、図２２のＳ６０，Ｓ７１〜Ｓ７３）と、
前記変動表示が開始されてから表示結果が導出表示されるまでに、所定の演出表示（図９のような初回変動及び擬似連の再変動）を所定回数繰り返し実行する演出表示実行手段と、
前記決定手段による決定に基づいて、前記演出表示実行手段によって実行される演出表示において特定演出（図１０の桜柄演出）を実行するか否かを決定するとともに、該特定演出を実行する場合、いずれの回数目の演出表示において該特定演出を実行するかを決定する特定演出決定手段（演出制御用マイクロコンピュータ１００、図２２のＳ５１０，Ｓ５１１，Ｓ５２０）と、
を備え、
前記演出表示実行手段は、前記特定演出決定手段によって決定された回数目の演出表示において前記特定演出を実行し、
前記特定演出決定手段は、前記決定手段により前記有利状態とすることが決定されたか否かに応じて、いずれの回数目の演出表示において該特定演出を実行するかを異なる割合で決定する、
ことを特徴とする。
このような構成によれば、いずれの回数目の演出表示において特定演出が実行されるか、換言すれば特定演出の実行タイミングに対して、遊技者の注目を集めることにより、遊技興趣を向上させることができる。
なお、特定演出は、所定回数繰り返し実行される演出表示のうち、いずれか１回の演出表示において行われるものであってもよいし、複数回の演出表示において継続的あるいは断続的に行われるものであってもよい。
【手続補正書】
【提出日】平成27年8月26日(2015.8.26)
【手続補正１】
【補正対象書類名】明細書
【補正対象項目名】０００８
【補正方法】変更
【補正の内容】
【０００８】
上記目的に対応して、本発明に係る画像処理装置は、
眼部の眼底の第一の画像から、視細胞ごとの領域を抽出する抽出手段と、
前記眼部の眼底の第二の画像から、前記抽出された視細胞ごとの領域に対応する所定の層の厚さを算出する演算手段と、
前記抽出された視細胞ごとの領域の画像であって、前記算出された所定の層の厚さに対応した表示形態の画像を表示手段に表示させる表示制御手段と、
を備えることを特徴とする。
また、上記目的に対応して、本発明に係る画像処理方法は、
眼部の眼底の第一の画像から、視細胞ごとの領域を抽出する工程と、
前記眼部の眼底の第二の画像から、前記抽出された視細胞ごとの領域に対応する所定の層の厚さを算出する工程と、
前記抽出された視細胞ごとの領域の画像であって、前記算出された所定の層の厚さに対応した表示形態の画像を表示手段に表示させる工程と、
を含むことを特徴とする。
【手続補正２】
【補正対象書類名】特許請求の範囲
【補正対象項目名】全文
【補正方法】変更
【補正の内容】
【特許請求の範囲】
【請求項１】
眼部の眼底の第一の画像から、視細胞ごとの領域を抽出する抽出手段と、
前記眼部の眼底の第二の画像から、前記抽出された視細胞ごとの領域に対応する所定の層の厚さを算出する演算手段と、
前記抽出された視細胞ごとの領域の画像であって、前記算出された所定の層の厚さに対応した表示形態の画像を表示手段に表示させる表示制御手段と、
を備えることを特徴とする画像処理装置。
【請求項２】
前記所定の層は、前記眼底の脈絡膜であり、
前記表示制御手段が、前記視細胞ごとの領域の前記脈絡膜の厚さに対応した表示形態の画像を前記表示手段に表示させることを特徴とする請求項１に記載の画像処理装置。
【請求項３】
前記表示制御手段が、前記所定の領域における前記視細胞の密度を対応付けた画像を前記表示手段に表示させることを特徴とする請求項１に記載の画像処理装置。
【請求項４】
前記表示制御手段は、前記所定の層の厚さに応じて前記視細胞ごとの領域への色づけを行う表示色づけ手段を更に有し、前記表示形態は前記視細胞ごとの領域への色づけた形態であることを特徴とする請求項１乃至３の何れか一項に記載の画像処理装置。
【請求項５】
前記第一の画像が前記眼部の眼底の平面画像であり、前記第二の画像が前記眼部の眼底の断層画像であることを特徴とする請求項１乃至４の何れか一項に記載の画像処理装置。
【請求項６】
被検眼の眼底の視細胞を含んだ第１の画像の所定の領域に対応する、前記被検眼の第２の画像の領域の特徴値を演算する演算手段と、
前記特徴値の違いを識別可能に可視化された画像を表示手段に表示させる表示制御手段とを備え、
前記特徴値が経時的に変化する値であり、
前記演算手段は前記経時的に変化した特徴値を積算して前記可視化された画像を表示する際に用いる特徴値を算出することを特徴とする画像処理装置。
【請求項７】
前記特徴値が、ＩＳ／ＯＳ、ＲＰＥ、ＧＣＣを含む網膜より検出される各々の層の厚み、又は網膜の病変に基づいて得られる値であることを特徴とする請求項６に記載の画像処理装置。
【請求項８】
前記第一の画像から各視細胞に対応する領域を解析する視細胞解析手段と、
前記第二の画像から、前記第二の画像の領域における各位置での前記特徴値を解析する眼底解析手段と、
前記第一の画像と前記第二の画像とを対応付ける画像対応付け手段と、
を備えることを特徴とする請求項６又は７に記載の画像処理装置。
【請求項９】
前記画像対応付け手段は、前記第一の画像と前記第二の画像との対応付けとして各々の位置合わせを行うことを特徴とする請求項８に記載の画像処理装置。
【請求項１０】
眼部の眼底の第一の画像から、視細胞ごとの領域を抽出する工程と、
前記眼部の眼底の第二の画像から、前記抽出された視細胞ごとの領域に対応する所定の層の厚さを算出する工程と、
前記抽出された視細胞ごとの領域の画像であって、前記算出された所定の層の厚さに対応した表示形態の画像を表示手段に表示させる工程と、
を含むことを特徴とする画像処理方法。
【請求項１１】
被検眼の眼底の視細胞を含んだ第１の画像の所定の領域に対応する、前記被検眼の第２の画像の領域の特徴値を演算する工程と、
前記特徴値の違いを識別可能に可視化された画像を表示手段に表示させる工程とを備え、
前記特徴値が経時的に変化する値であり、
前記演算する工程において、前記経時的に変化した特徴値を積算して前記可視化された画像を表示する際に用いる特徴値を算出することを特徴とする画像処理方法。
【請求項１２】
眼底の視細胞の画像を処理する画像処理方法であって、
前記眼底の断層画像を解析して脈絡層を解析する工程と、
前記断層画像の解析結果に基づいて、前記画像のうち前記視細胞に対応する領域ごとに前記脈絡層の厚さを算出する算出工程と、
前記視細胞に対応する領域ごとに算出された前記層の厚さを可視化した画像を表示手段に表示させる工程と、
を備えることを特徴とする画像処理方法。
【請求項１３】
請求項１０乃至１２の何れか一項に記載の画像処理方法の各工程をコンピュータに実行させるためのプログラム。
【請求項１４】
眼底の視細胞の画像を処理する画像処理装置であって、
前記眼底の断層画像を解析して脈絡層を解析する解析手段と、
前記断層画像の解析結果に基づいて、前記画像のうち前記視細胞に対応する領域ごとに前記脈絡層の厚さを算出する算出手段と、
前記視細胞に対応する領域ごとに算出された前記層の厚さを可視化した画像を表示手段に表示させる表示制御手段と、
を備えることを特徴とする画像処理装置。
【請求項１５】
前記算出手段は、前記画像のうちの所定の領域の前記視細胞の体積を算出し、
前記表示制御手段は、前記体積と前記層の厚さとを対応付けて可視化した画像を前記表示手段に表示させることを特徴とする請求項１４に記載の画像処理装置。
【請求項１６】
前記算出手段は、前記画像のうちの所定の領域の前記視細胞の密度を算出し、
前記表示制御手段は、前記密度と前記層の厚さとを対応付けて可視化した画像を前記表示手段に表示させることを特徴とする請求項１４に記載の画像処理装置。
【手続補正書】
【提出日】平成27年9月9日(2015.9.9)
【手続補正１】
【補正対象書類名】特許請求の範囲
【補正対象項目名】全文
【補正方法】変更
【補正の内容】
【特許請求の範囲】
【請求項１】
新生児集中治療室（ＮＩＣＵ）における複数の乳児の生理学的状態を監視するためのシステム（２１０）において、
複数の乳児治療ステーション（２１２）であって、各乳児治療ステーション（２１２）が、新生児を監視し、処置するように構成されており、各乳児治療ステーション（２１２）が、微環境（５６）と、前記乳児の運動を検出する、前記微環境（５６）の周囲に配設された運動検知器（２０２）と、前記微環境（５６）の第１の環境状態を検出する環境検知器（４０）と、前記乳児の検出された運動および前記第１の環境状態を受け取り、前記乳児のストレスレベルの指標を抽出する処理装置（６６）とを備える、複数の乳児治療ステーション（２１２）と、
前記微環境（５６）の外側の第２の環境状態を検出する、前記乳児治療ステーション（２１２）の周りに位置決めされた複数の外部環境検知器（２１４）と、
前記乳児治療ステーション（２１２）のそれぞれに、および前記外部環境検知器（２１４）のそれぞれに通信可能に接続されている中央処理装置（６８）であって、前記乳児治療ステーション（２１２）のそれぞれからの信号を前記外部環境検知器（２１４）からの信号と比較し、前記微環境（５６）のそれぞれの前記第１の環境状態と、前記微環境（５６）の外側の前記第２の環境状態と、前記乳児の前記ストレスレベルの対応する指標との間の相関関係を決定する、中央処理装置（６８）と、
を備えるシステム（２１０）。
【請求項２】
前記環境検知器（４０）が、音検出器（２０６）、光強度検知器（２０４）、および室温検知器（２０８）から選択される、請求項１に記載のシステム（２１０）。
【請求項３】
前記外部環境検知器（２１４）が、音検出器（２０６）、光強度検知器（２０４）、および室温検知器（２０８）から選択される、請求項２に記載のシステム（２１０）。
【請求項４】
前記複数の乳児治療ステーション（２１２）がすべて、ある室内に場所決めされている、請求項１に記載のシステム（２１０）。
【請求項５】
前記外部環境検知器（２１４）のうちの少なくとも１つが、前記ＮＩＣＵの壁または天井に取り付けられている、請求項４に記載のシステム（２１０）。
【請求項６】
前記中央処理装置（６８）に通信可能に接続されているグラフィックディスプレイ（７２）をさらに備える、請求項１に記載のシステム（２１０）。
【請求項７】
前記中央処理装置（６８）が、前記グラフィックディスプレイ（７２）に表示されるインデックスとして、前記複数の乳児治療ステーション（２１２）のそれぞれにおけるストレスレベルの前記指標を示すように構成されている、請求項６に記載のシステム（２１０）。
【請求項８】
前記中央処理装置（６８）が、前記グラフィックディスプレイ（７２）において、前記環境検知器（２１２）からのデータと、前記外部環境検知器（２１４）からのデータと、前記乳児の前記ストレスレベルの前記指標とを表示するように構成されている、請求項６に記載のシステム（２１０）。
【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
複数の送信装置の周波数帯域の割当に基づいて送信方式を決定する基地局装置であって、
前記第１の送信装置の周波数帯域の割当と、当該周波数帯域と一部が重複する周波数帯域を使用する前記第２の送信装置の少なくとも１つに割り当てられた周波数帯域とより決まる重複情報に基づいて、受信装置による等化を行った場合における伝送品質を算出し、算出した伝送品質を示す情報に基づいて前記第１の送信装置の変調方式及び符号化率の少なくとも一方を決定する送信方式決定装置。
【請求項２】
前記重複情報は、第１の送信装置に割り当てられた周波数帯域の大きさと前記重複周波数帯域との比率であることを特徴とする請求項１に記載の基地局装置。
【請求項３】
前記重複情報は、前記重複周波数帯域の有無であることを特徴とする請求項１に記載の基地局装置。
【請求項４】
前記送信方式決定部は、前記重複情報に基づいて、受信装置によって繰り返し等化を行った場合における等化重みを算出し、算出した等化重みに基づいて前記伝送品質を算出する請求項１に記載の送信方式決定装置。
【請求項５】
前記送信方式決定部は、前記重複情報に基づいて、受信装置によって繰り返し等化を行った場合における干渉除去残差を算出し、算出した干渉除去残差に基づいて前記等化重みを算出する請求項４に記載の送信方式決定装置。
【請求項６】
前記送信方式決定部は、受信装置によって繰り返し等化以外の等化を行った場合における等化重みを算出し、算出した等化重みに基づいて前記第１の送信装置の変調方式及び符号化率の少なくとも一方を決定し、決定した変調方式及び符号化率の少なくとも一方と前記重複情報に基づいて受信装置による等化を行った場合における等化重みを算出する請求項１、請求項４、請求項５のいずれか一項に記載の送信方式決定装置。
【請求項７】
前記送信方式決定部は、ユーザ間干渉の干渉除去残差を算出する請求項８に記載の送信方式決定装置。
【請求項８】
前記送信方式決定部は、シンボル間干渉の干渉除去残差を算出する請求項８に記載の送信方式決定装置。
【請求項９】
前記送信方式決定部は、前記第１の送信装置に割り当てられた周波数帯域と、前記第２の送信装置の少なくとも１つに割り当てられた周波数帯域とに基づき算出した相互情報量
であって、受信装置によって繰り返し等化を行った後の相互情報量に基づいて、前記第１の送信装置の変調方式及び符号化率の少なくとも一方を決定する請求項１に記載の送信方式決定装置。
【手続補正書】
【提出日】平成26年11月26日(2014.11.26)
【手続補正１】
【補正対象書類名】明細書
【補正対象項目名】発明の名称
【補正方法】変更
【補正の内容】
【発明の名称】画像データ提供装置、写真撮影遊戯装置、画像データ提供システム、及び画像生成方法
【手続補正２】
【補正対象書類名】特許請求の範囲
【補正対象項目名】全文
【補正方法】変更
【補正の内容】
【特許請求の範囲】
【請求項１】
被写体が写った撮影画像、及び当該撮影画像における被写体部分を示すマスク、を生成する写真撮影遊戯装置から、前記撮影画像及びマスクを受信するとともに、携帯端末からの指示により画像に係るデータを当該携帯端末に送信する画像データ提供装置であって、
前記写真撮影遊戯装置から送信された前記撮影画像及びマスクを受信し、
受信した前記マスクを利用して、当該マスクに対応する前記撮影画像から被写体に係る画像を抽出する処理を行うように構成されている、画像データ提供装置。
【請求項２】
請求項１に係る画像データ提供装置に画像データを送信する写真撮影遊戯装置であって、
被写体を撮影して撮影画像を得る部位と、
前記撮影画像に基づき、当該撮影画像における被写体部分を示すマスクを生成する部位と、
前記撮影画像及び当該撮影画像に対応する前記マスクを前記画像データ提供装置に送信する部位と、
を備えている、写真撮影遊戯装置。
【請求項３】
請求項１の画像データ提供装置と、
請求項２の写真撮影遊戯装置と、
前記画像データ提供装置に対して、画像に係るデータの送信指示を行うとともに、表示手段を有する携帯端末と、
を備え、
前記携帯端末は、所定の合成用画像と、前記被写体に係る画像とを合成した合成画像を前記表示手段に表示させる、画像データ提供システム。
【請求項４】
写真撮影遊戯装置において、被写体を撮影した撮影画像に基づき、当該撮影画像における被写体部分を示すマスクを生成するステップと、
前記撮影画像及び当該撮影画像に対応する前記マスクを、前記写真撮影遊戯装置から画像データ提供装置に送信するステップと、
前記画像データ提供装置において、受信した前記マスクを利用して、当該マスクに対応する前記撮影画像から、被写体に係る画像を抽出する処理を行うステップと、
利用者の操作による携帯端末からの要求に応じて、抽出された被写体に係る画像に、所定の合成用画像を合成するステップと、
を備えている、画像生成方法。
【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
通信機能を有する端末との通信コネクションを確立するコネクト部と、
放送信号を受信する放送受信部と、
前記放送受信部が受信した放送信号から放送ストリームを分離する分離部と、
前記分離部が分離した放送ストリームに所定の第１の情報が含まれる場合に、当該第１の情報に関連付けられた第２の情報を、前記コネクト部が確立したコネクションを介して前記端末に送信する送信部と、
を備えることを特徴とする受信機。
【請求項２】
前記第１の情報は、端末装置が実行するアプリケーションを指定するアプリケーション指定情報である
ことを特徴とする請求項１に記載の受信機。
【請求項３】
前記コネクト部が確立したコネクションを介して前記端末から前記受信機に対する制御指示を受け付ける制御指示受け付け部と、
前記制御指示受け付け部が受け付けた制御指示に基づいて、自装置の制御を行う制御部と
を備えることを特徴とする請求項１または請求項２に記載の受信機。
【請求項４】
前記制御指示受け付け部は、制御指示として所定の放送チャンネルを選択する選択指示を受け付け、
前記制御部は、前記制御指示受け付け部が受け付けた選択指示に従って、指定された放送チャンネルの放送信号を前記放送受信部が受信するよう制御する
ことを特徴とする請求項３に記載の受信機。
【請求項５】
ネットワークを介して外部装置との通信を行う通信入出力部と、
前記通信入出力部が前記外部装置から受信したコンテンツを実行するコンテンツ実行部と
を備え、
前記制御指示受け付け部は、前記コンテンツ実行部に実行させるコンテンツを示すコンテンツ識別情報を含む制御指示を受け付け、
前記制御部は、前記通信入出力部が、前記制御指示受け付け部が受け付けた制御指示に含まれるコンテンツ識別情報が示すコンテンツを前記外部装置から取得し、前記コンテンツ実行部が、当該コンテンツを実行するよう制御する
ことを特徴とする請求項３に記載の受信機。
【請求項６】
端末からの受信機の検索に対して、前記コネクト部が通信コネクションに用いる接続アドレスを含む応答を送信する検索応答部を備える
ことを特徴とする請求項１から請求項５の何れか１項に記載の受信機。
【手続補正２】
【補正対象書類名】明細書
【補正対象項目名】０００９
【補正方法】変更
【補正の内容】
【０００９】
［１］上記の課題を解決するため、本発明による受信機は、通信機能を有する端末との通信コネクションを確立するコネクト部と、放送信号を受信する放送受信部と、前記放送受信部が受信した放送信号から放送ストリームを分離する分離部と、前記分離部が分離した放送ストリームに所定の第１の情報が含まれる場合に、当該第１の情報に関連付けられた第２の情報を、前記コネクト部が確立したコネクションを介して前記端末に送信する送信部と、を備えることを特徴とする。
［２］上記［１］記載の受信機において、前記第１の情報は、端末装置が実行するアプリケーションを指定するアプリケーション指定情報であることを特徴とする。
［３］上記［１］または［２］記載の受信機において、前記コネクト部が確立したコネクションを介して前記端末から前記受信機に対する制御指示を受け付ける制御指示受け付け部と、前記制御指示受け付け部が受け付けた制御指示に基づいて、自装置の制御を行う制御部とを備えることを特徴とする。
［４］上記［３］記載の受信機において、前記制御指示受け付け部は、制御指示として所定の放送チャンネルを選択する選択指示を受け付け、前記制御部は、前記制御指示受け付け部が受け付けた選択指示に従って、指定された放送チャンネルの放送信号を前記放送受信部が受信するよう制御することを特徴とする。
［５］上記［３］記載の受信機において、ネットワークを介して外部装置との通信を行う通信入出力部と、前記通信入出力部が前記外部装置から受信したコンテンツを実行するコンテンツ実行部とを備え、前記制御指示受け付け部は、前記コンテンツ実行部に実行させるコンテンツを示すコンテンツ識別情報を含む制御指示を受け付け、前記制御部は、前記通信入出力部が、前記制御指示受け付け部が受け付けた制御指示に含まれるコンテンツ識別情報が示すコンテンツを前記外部装置から取得し、前記コンテンツ実行部が、当該コンテンツを実行するよう制御することを特徴とする。
［６］上記［１］から［５］の何れかに記載の受信機において、端末からの受信機の検索に対して、前記コネクト部が通信コネクションに用いる接続アドレスを含む応答を送信する検索応答部を備えることを特徴とする。
【手続補正書】
【提出日】平成27年9月9日(2015.9.9)
【手続補正１】
【補正対象書類名】特許請求の範囲
【補正対象項目名】全文
【補正方法】変更
【補正の内容】
【特許請求の範囲】
【請求項１】
超音波変換器（９００）であって、
前側（９１２）および後側（９１４）を画定する圧電要素（９１０）であって、電気信号を、ターゲットに向かうように前記前側（９１２）から伝達される超音波に変換するように構成されるとともに、受信した超音波を電気信号に変換するように構成される、圧電要素（９１０）と、
前記圧電要素（９１０）の前記前側（９１２）に接続されるレンズ（９０８）と、
前記圧電要素（９１０）の前記後側（９１４）に接続されるヒートシンク（９２４）と、
前記圧電要素（９１０）と前記ヒートシンク（９２４）との両方に接続される後側整合層（９２０）であって、前記圧電要素（９１０）の端部を越えて前記ヒートシンク（９２４）まで延在するように構成される翼部（９２６）を含み、前記圧電要素（９１０）から前記ヒートシンク（９２４）に熱を伝導するように構成される、後側整合層（９２０）と、
を含む超音波変換器（９００）。
【請求項２】
前記後側整合層（９２０）と前記ヒートシンク（９２４）との間に配置される熱バッキング（９２２）をさらに含み、前記熱バッキング（９２２）が前記圧電要素（９１０）からの超音波を弱めるように構成される、請求項１に記載の超音波変換器（９００）。
【請求項３】
前記翼部（９２６）および前記ヒートシンク（９２４）に取り付けられる熱伝導性シート（９５６）をさらに含む、請求項１に記載の超音波変換器（９００）。
【請求項４】
前記熱伝導性シート（９５６）がエポキシにより前記翼部（９２６）および前記ヒートシンク（９２４）に取り付けられる、請求項３に記載の超音波変換器（９００）。
【手続補正書】
【提出日】平成27年8月6日(2015.8.6)
【手続補正１】
【補正対象書類名】明細書
【補正対象項目名】０００８
【補正方法】変更
【補正の内容】
【０００８】
本発明の画像読取り装置は、搬送路に沿って原稿を搬送する搬送手段と、前記搬送手段によって搬送される原稿の表面の画像を読取る第１の読取りセンサと、前記搬送手段によって搬送される原稿の裏面の画像を読取る第２の読取りセンサと、前記第１および第２の読取りセンサによって読取られた画像データを一時的にバッファメモリに蓄積してから転送する転送手段と、前記第１および第２の読取りセンサによる画像の読取りを中断させる中断処理を実施する制御手段と、を備える画像読取り装置であって、前記第１および第２の読取りセンサは、第１の期間においていずれか一方が画像の読取りを行ない、第２の期間において両方が画像の読取りを行ない、前記制御手段は、前記第２の期間では前記中断処理を実施せず、前記第２の期間の前の前記第１の期間内において、前記バッファメモリの空き容量が前記第２の期間に前記第１および第２の読取りセンサが画像を読取った場合に必要となる容量よりも少ないときに前記中断処理を実施することを特徴とする。
【手続補正２】
【補正対象書類名】特許請求の範囲
【補正対象項目名】全文
【補正方法】変更
【補正の内容】
【特許請求の範囲】
【請求項１】
搬送路に沿って原稿を搬送する搬送手段と、
前記搬送手段によって搬送される原稿の表面の画像を読取る第１の読取りセンサと、
前記搬送手段によって搬送される原稿の裏面の画像を読取る第２の読取りセンサと、
前記第１および第２の読取りセンサによって読取られた画像データを一時的にバッファメモリに蓄積してから転送する転送手段と、  前記第１および第２の読取りセンサによる画像の読取りを中断させる中断処理を実施する制御手段と、
を備える画像読取り装置であって、
前記第１および第２の読取りセンサは、第１の期間においていずれか一方が画像の読取りを行ない、第２の期間において両方が画像の読取りを行ない、
前記制御手段は、前記第２の期間では前記中断処理を実施せず、前記第２の期間の前の前記第１の期間内において、前記バッファメモリの空き容量が前記第２の期間に前記第１および第２の読取りセンサが画像を読取った場合に必要となる容量よりも少ないときに前記中断処理を実施する
ことを特徴とする画像読取り装置。
【請求項２】
前記制御手段は、既に読取られた所定ライン数分の画像データを重複して読取らないように、前記中断処理の後に、前記搬送手段による前記原稿の搬送および前記第１および第２の読取りセンサによる画像の読取りを再開することを特徴とする請求項１に記載の画像読取り装置。
【請求項３】
前記第１の期間は、前記原稿が前記搬送路の第１領域内を搬送されるときであり、前記第２の期間は、前記原稿が前記搬送路の第２領域内を搬送されるときであることを特徴とする請求項１または２に記載の画像読取り装置。
【請求項４】
前記制御手段は、前記搬送手段による前記原稿の搬送を中断したときに前記原稿が前記第１領域から前記第２領域に入らないように、前記中断処理を実施することを特徴とする請求項３に記載の画像読取り装置。
【請求項５】
前記制御手段は、前記中断処理を実施した後に、前記バッファメモリの空き容量が前記第２の期間に前記第１および第２の読取りセンサが画像を読取った場合に必要となる容量以上となったときに、前記搬送手段による前記原稿の搬送および前記第１および第２の読取りセンサによる画像の読取りを再開させることを特徴とする請求項１から４のいずれかに記載の画像読取り装置。
【請求項６】
前記搬送手段は複数の原稿を連続的に搬送し、
前記制御手段は、前記搬送手段によって先に搬送させる先行の原稿と、その後に搬送される後続の原稿と、の間隔に応じて、前記中断処理を実施するときの前記バッファメモリの空き容量を変更することを特徴とする請求項１から５のいずれかに記載の画像読取り装置。
【請求項７】
前記搬送手段は複数の原稿を連続的に搬送し、
前記制御手段は、前記中断処理を実施した後に、前記バッファメモリの空き容量が所定容量以上となったときに、前記搬送手段による前記原稿の搬送および前記第１および第２の読取りセンサによる画像の読取りを再開させ、前記所定容量は、前記搬送手段によって先に搬送させる先行の原稿と、その後に搬送される後続の原稿と、の間隔に応じて変更することを特徴とする請求項１から４のいずれかに記載の画像読取り装置。
【請求項８】
搬送路に沿って原稿を搬送する搬送手段と、
前記搬送手段によって搬送される原稿の表面および裏面の画像を読取る第１および第２の読取りセンサと、
前記搬送手段により原稿を搬送させ、第１の期間に前記第１および第２の読取りセンサのいずれか一方に画像の読取りを行わせ、前記第１の期間に続く第２の期間に前記第１および第２の読取りセンサの両方に画像の読取りを行わせる読取手段と、
前記第１および第２の読取りセンサによって読取られた画像データを蓄積する蓄積手段と、
前記第１の期間における前記蓄積手段に格納できる画像データの量に基づいて、前記読取手段によって第２の期間の画像の読取が開始される前に、前記搬送手段による前記原稿の搬送および前記第１および第２の読取りセンサによる画像の読取りを中断する中断手段と、
を備えることを特徴とする画像読取り装置。
【請求項９】
搬送路に沿って搬送される原稿の表面および裏面の画像を第１および第２の読取りセンサによって読取る工程と、前記第１および第２の読取りセンサによって読取られた画像データを一時的にバッファメモリに蓄積してから転送する転送工程と、前記バッファメモリの空き容量が少なくなったときに、前記第１および第２の読取りセンサによる画像の読取りを中断させる中断処理を実施する制御工程と、を含む画像読取り方法であって、
前記第１および第２の読取りセンサは、第１の期間においていずれか一方が画像の読取りを行ない、第２の期間において両方が画像の読取りを行ない、
前記制御工程は、前記第２の期間では前記中断処理を実施せずに、前記第２の期間の直前の前記第１の期間内において、前記バッファメモリの空き容量が前記第２の期間に前記第１および第２の読取りセンサが画像を読取った場合に必要となる容量よりも少ないときに前記中断処理を実施する
ことを特徴とする画像読取り方法。